(57)【特許請求の範囲】
【請求項１】
ＲＦタグとの間での電磁波による通信を行なってデータを読取るＲＦタグ読取機構を備える本体と、この本体の後部から下方に延びて設けられたグリップ部とを備える携帯型の情報読取装置であって、
前記ＲＦタグとの間で通信を行なうアンテナ部を前記本体の外側に設けると共に、
前記アンテナ部は、前記本体の先端縁部と、前記グリップ部の下端縁部との双方に接する仮想平面よりも内側に位置して配設されていることを特徴とする携帯型情報読取装置。
【請求項２】
前記アンテナ部は、前記本体に対し着脱可能に取付けられることを特徴とする請求項１記載の携帯型情報読取装置。
【請求項３】
前記アンテナ部は、通信周波数帯の相違する複数種類のものが、交換可能に取付けられるように構成されていることを特徴とする請求項２記載の携帯型情報読取装置。
【請求項４】
前記アンテナ部は、アンテナケース内に、アンテナ及び送受信回路を内蔵して構成されることを特徴とする請求項１ないし３のいずれかに記載の携帯型情報読取装置。
【請求項５】
前記本体内には、光学情報を読取るための光学情報読取機構が設けられると共に、前記光学情報読取機構による光学情報の読取方向が、前記ＲＦタグの読取方向と同方向とされていることを特徴とする請求項１ないし４のいずれかに記載の携帯型情報読取装置。
【請求項６】
前記光学情報読取機構による光学情報の読取可能範囲と、前記ＲＦタグ読取機構によるＲＦタグの読取可能範囲とが重なる範囲が存在し、その重複範囲において前記光学情報の読取りと前記ＲＦタグの読取とを同時に行なうことが可能に構成されているこことを特徴とする請求項５記載の携帯型情報読取装置。
【発明の詳細な説明】
【技術分野】
【０００１】
本発明は、ＲＦタグ読取機構を備える本体にグリップ部を備えて構成され、ＲＦタグとの間での電磁波による通信を行なってデータを読取る携帯型情報読取装置に関する。
【背景技術】
【０００２】
例えば商品管理等の分野においては、商品等にＲＦタグを添付し、携帯型の情報読取装置を用いてそのＲＦタグとの間で電磁波による通信を行ない、該ＲＦタグに記録された商品等に関するデータの読取り（及び書込み）を行なうシステムが実用化されている。例えば特許文献１には、ＲＦタグの読取りと光学情報（バーコード）の光学的な読取りとの双方が可能な携帯型の情報読取装置（リーダライタ）が開示されている。この特許文献１に示された情報読取装置は、手持ち可能な本体ケース内に、ＲＦタグの読取機構と、光学情報の読取機構とを備えて構成され、ＲＦタグとの通信を行うためのアンテナ（アンテナコイル）が、本体ケース内の先端部の読取口付近に配設されていた。
【０００３】
ところで、この種の情報読取装置にあっては、ＲＦタグとの間での通信の性能（通信距離）を向上させるために、比較的大形のアンテナを用いたい要望がある。ところが、上記特許文献１に示されたものでは、アンテナを本体ケースに内蔵させる構成のため、アンテナを大型化することが難しい事情があった。この場合、アンテナを単純に大型化した場合、本体ケースの先端部が大形となってしまう等、構造の大幅な変更を招いてしまうことになる。また、近年では、ＲＦタグのシステムにおいて、複数の周波数帯が用いられるようになってきているが、本体ケース内にアンテナを組込むものでは、アンテナ部だけを容易に交換することができない不都合も生ずる。
【０００４】
そこで、例えば特許文献２には、やはりＲＦタグの読取りとバーコードの読取りとの双方が可能な携帯型の情報読取装置において、アンテナ部を本体部と別体に構成し、アンテナ部を本体部の下面側に着脱可能に取付ける構成のものが考えられている。これによれば、比較的大形のアンテナを設けることが可能となり、また、アンテナ部の交換も簡単に行なうことができる。
【特許文献１】特開２０００−３４８１３３号公報
【特許文献２】特許第３６３７８２１号公報
【発明の開示】
【発明が解決しようとする課題】
【０００５】
しかしながら、上記特許文献２に記載された携帯型の情報読取装置においても、次のような改善すべき点が残されていた。即ち、この種の情報読取装置は、ユーザが手に持って使用するため、ユーザが誤って落下させたりすることが考えられ、この落下により、アンテナ部が、床や地面等に衝突して破損してしまう虞があった。尚、特許文献２に記載されたものでは、アンテナ部の中央部に、バーコード読取用の窓部（開口）が設けられるため、アンテナ部が必要以上に大形となる不具合もあった。
【０００６】
本発明は上記事情に鑑みてなされたもので、その目的は、比較的大形のアンテナを設けることができながらも、落下時などにおけるアンテナの保護を図ることができる携帯型情報読取装置を提供するにある。
【課題を解決するための手段】
【０００７】
上記目的を達成するために、本発明の携帯型情報読取装置は、ＲＦタグとの間での電磁波による通信を行なってデータを読取るＲＦタグ読取機構を備える本体と、この本体の後部から下方に延びて設けられたグリップ部とを備えるものにあって、前記ＲＦタグとの間で通信を行なうアンテナ部を前記本体の外側に設けると共に、前記アンテナ部は、前記本体の先端縁部と、前記グリップ部の下端縁部との双方に接する仮想平面よりも内側に位置して配設されているところに特徴を有する（請求項１の発明）。
【０００８】
これによれば、アンテナ部を本体の外側に設けたことにより、アンテナ部を本体内に内蔵する場合と異なり、比較的大形のアンテナを設けることが可能となる。そして、アンテナ部は、本体の下面側で且つグリップ部の前方の領域に配設されることになるが、本体の先端縁部とグリップ部の下端縁部との双方に接する仮想平面よりも内側に配置されることにより、ユーザが仮に装置を落下させた場合でも、平坦な床や地面等に対して、本体或いはグリップ部が衝突することになり、アンテナ部が直接衝突することが未然に防止される。ここで、本体の先端縁部とグリップ部の下端縁部との双方に接する仮想平面は、向き等の相違する多数（無数）のものを仮想することができるが、そのいずれに関してもアンテナ部が内側に位置するように構成することにより、落下時などにおけるアンテナ部の保護を図ることができる。
【０００９】
本発明においては、前記アンテナ部を、前記本体に対し着脱可能に取付ける構成とすることができ（請求項２の発明）、これにより、例えば既存の本体に対しアンテナ部の着脱を容易に行うことが可能となる。更にこのとき、アンテナ部として通信周波数帯の相違する複数種類のものを用意しておき、交換可能に取付ける構成とすれば（請求項３の発明）、アンテナ部の交換を容易に行なうことができ、複数の周波数帯のＲＦタグの読取りに対応させることが可能となる。
【００１０】
また、上記アンテナ部を、アンテナケース内にアンテナを組込んだユニットとして構成することができるのであるが、この場合、更にアンテナケース内に送受信回路をも組込む構成とすることができる（請求項４の発明）。これによれば、本体側に送受信回路を設ける必要がなくなるので、本体内の読取機構の構成を簡単化することができる。特に複数の周波数帯のＲＦタグに対応させる場合でも、アンテナ部を交換することによって、対応が容易となる。
【００１１】
ところで、この種の携帯型の情報読取装置においては、本体内に、ＲＦタグ読取機構と光学情報を読取るための光学情報読取機構とを組込むことにより、電磁波によるＲＦタグの読取りと、光学情報の光学的な読取りとの双方に対応させる（共用させる）ことが行なわれる。本発明においても、本体内にＲＦタグ読取機構に加えて光学情報読取機構を設け、これと共に、その光学情報読取機構による光学情報の読取方向を、ＲＦタグの読取方向と同方向とするように構成することができる（請求項５の発明）。これにより、ＲＦタグの読取りと、光学情報の読取りとの双方に対応することができて、利便性を向上させることができ、しかも、読取方向を同方向としたことにより、操作性に優れたものとなる。
【００１２】
このとき、光学情報読取機構による光学情報の読取可能範囲と、ＲＦタグ読取機構によるＲＦタグの読取可能範囲とが重なる範囲を設けることにより、その重複範囲において光学情報の読取りとＲＦタグの読取とを同時に行なうことができるように構成しても良い（請求項６の発明）。これにより、１回の操作で、光学情報及びＲＦタグの双方の読取りを同時に行なう機能を実現することができる。
【発明を実施するための最良の形態】
【００１３】
以下、本発明の一実施例について、図１ないし図６を参照しながら説明する。尚、この実施例では、本発明を、ＲＦタグ（ＲＦＩＤタグ）のデータの読取り及び書込みと、バーコードや二次元コード等の光学情報の読取りとの双方が可能な携帯型（いわゆるガンタイプ）のリーダライタに適用するようにしている。
【００１４】
図１及び図２は、本実施例に係る携帯型情報読取装置１（リーダライタ）の外観を示している。この携帯型情報読取装置１は、前後方向にやや長く角部が丸みを帯びたほぼ矩形箱状をなす本体２の下面側後部寄りに、下方やや斜め後方に延びユーザが片手で把持して操作することが可能なグリップ部３を一体的に有して構成されている。前記グリップ部３は、その下端部が前方に突出するような形状をなしている。前記本体２の外殻を構成するケースは、例えばプラスチック製の上ケース４と下ケース５とからなり、それらが突合わされて例えばねじ止めされることにより結合されるようになっている。
【００１５】
前記本体２（下ケース５）の先端面部には、光学情報読取り用の読取口２ａが設けられている。また、前記グリップ部３の内側（図１（ｂ）で左側）上端部には、読取指示用のトリガスイッチ６が設けられている。前記本体２の上面部（上ケース４）には、図３にも示すように、電源スイッチ７、報知用ＬＥＤ８、スピーカ９、小型の液晶表示器からなる表示部１０、数字キーや機能キー等の複数個の操作キーを有するキー操作部１１が設けられている。
【００１６】
図３に示すように、本体２内には、マイコンを主体として構成され装置１全体を制御する制御部１２が設けられている。この制御部１２には、メモリ１３が接続されている。制御部１２には、前記トリガスイッチ６やキー操作部１１等からの操作信号が入力されるようになっている。また、制御部１２が、前記報知用ＬＥＤ８、スピーカ９、表示部１０などを制御するようになっている。本体２内には、電源となるバッテリ１４及び電源部１５、外部（ホスト装置）との間でのデータ通信を行うための外部インターフェース１６等も設けられている。
【００１７】
そして、本体２内には、前記制御部１２に接続され、ＲＦタグ（図示せず）との間で電磁波による通信を行なってデータの読取り及び書込みを行なうＲＦタグ処理部１７、及び、読取対象（図示せず）に記された光学情報（バーコードや二次元コード）を読取るための光学コード読取部１８が設けられている。これらは、前記制御部１２により制御され、制御部１２及びＲＦタグ処理部１７からＲＦタグ読取機構が構成され、制御部１２及び光学コード読取部１８から光学情報読取機構が構成されるようになっている。
【００１８】
そのうち光学コード読取部１８は、図示はしないが、例えばＣＣＤエリアセンサからなる受光センサ、結像レンズ、複数個のＬＥＤやレンズ等から構成される照明部などを備えて構成されている。これにて、照明部によって前記読取口２ａを通して前方に配置された読取対象に照明光が照射され、光学情報（バーコードや二次元コード）からの反射光が読取口２ａを通して入射され、前記結像レンズを介して受光センサ上に結像されて光学情報の画像データが取込まれ、データの読取り（デコード）が行なわれるようになっているのである。このとき、光学情報の読取方向は、本体２の前方となり、また、読取可能範囲は、図２に一点鎖線で示す範囲Ｒ１となる。
【００１９】
前記ＲＦタグ処理部１７は、図４に示すように、後述するアンテナ１９に接続された電源回路２７と、送信回路２０及び受信回路２１と、それらに接続された信号処理回路２２とを備えている。ＲＦタグに対して、アンテナ１９に接続された電源回路２７から電磁波が送信されることにより、ＲＦタグ側のアンテナにて受信した電磁波から動作電力が生成され供給されるようになっている。このとき、前記信号処理回路２２は、制御部１２により制御され、前記送信回路２０を通じてアンテナ１９に送信信号を出力すると共に、アンテナ１９が受けた受信信号を、受信回路２１を通じて復調してデータとして抽出するようになっている。
【００２０】
これにて、アンテナ１９（本体２）を読取るべきＲＦタグに近接させた状態で、該ＲＦタグに対して電磁波により電力供給が行われると共に、データの通信（書込み及び読取り）が行われるようになっている。このとき、ＲＦタグ処理部１７は、複数の通信周波数に対応可能に構成されている。尚、上記制御部１２や各回路等は、本体２内に配設された基板に実装されるようになっている。
【００２１】
ここで、図示はしないが、ＲＦタグについて簡単に述べておく。前記ＲＦタグは、例えば商品などの物品に付されるものであり、例えばプラスチック製の荷札状（矩形板状）をなしている。そして、その内部には、前記情報読取装置１との間での通信を行うためのタグ側アンテナを備えると共に、データの保持及び応答信号を発生するＲＦＩＤチップを備えて構成される。ＲＦＩＤチップは、給電用信号から動作電源を得るための整流・平滑回路、通信等の制御を行うＣＰＵ、送受信信号の変調，復調を行う変復調回路、動作プログラム等を記憶するＲＯＭ、データを記憶する読書き可能なＥＥＰＲＯＭ等をワンチップＩＣ化して構成されている。
【００２２】
尚、ＲＦタグには、荷札状以外にも、コイン状、キー（キーホルダ）状など様々な形状のものがあり、更に、カード状のもの（非接触ＩＣカード）もＲＦタグに含まれる。また、光学情報が記載されたラベルに、更にＲＦタグを固着して構成された情報ラベル（スマートラベル等と称される）を物品に貼付して使用するようなシステムも存在する。
【００２３】
このとき、ＲＦタグを用いるＲＦＩＤシステムにおいては、いくつかの周波数（波長）を利用することが可能とされている。具体的には、長波帯（例えば１２５ｋＨｚ等）、短波帯（例えば１３．５６ＭＨｚ）、ＵＨＦ帯（例えば９５２〜９５４ＭＨｚ）などの利用が可能とされている。他にも、マイクロ波帯（例えば２．４５ＧＨｚ等）を利用するシステムもある。ＲＦタグには、そのシステムに用いられる周波数に対応したアンテナが組込まれていることは勿論である。
【００２４】
本実施例に係る携帯型情報読取装置１は、上記光学コード読取部１８（光学情報読取機構）による光学情報の光学的な読取りと、上記ＲＦタグ処理部１７（ＲＦタグ読取機構）によるＲＦタグとの間の通信（データの読取り及び書込み）とが可能となっていると共に、上記したような情報ラベル等に関するＲＦタグと光学情報との同時読取り（１回の操作での双方の読取り）も可能とされている。それら機能の切替えは、例えば、ユーザがキー入操作部１１を操作してモードを選択することにより行われるようになっている。
【００２５】
さて、本実施例の携帯型情報読取装置１においては、図１及び図２に示すように、前記ＲＦタグとの間での通信を行なうためのアンテナ１９を備えたアンテナ部２３が、本体２の外側、ここでは本体２の下面前部側（グリップ部３の前側）に位置して着脱可能に設けられる。また、本実施例では、アンテナ部２３は、複数の通信周波数に対応した複数種類この場合３種類が用意され、いずれか１つが本体２に対して交換可能に取付けられるようになっている。
【００２６】
前記アンテナ部２３は、図５に示すように、例えばプラスチック製のアンテナケース２４内に、前記アンテナ１９を収容して構成されている。前記アンテナケース２４は、上面に開口部を有し、前後方向に薄型のほぼ矩形箱状をなしている。また、図５（ａ）に示すように、アンテナケース２４の上端部には、例えば２箇所に位置して取付用のねじ穴２４ａ（１個のみ図示）が形成されている。前記アンテナ１９は、詳細は後に述べるように、全体としてやや厚みのある矩形板状に構成されており、アンテナケース２４内に固定的に収容されるようになっている。
【００２７】
図６（ａ）〜（ｃ）は、上記３種類のアンテナ１９の構成を概略的に示している。尚、これらアンテナ１９を区別する必要がある場合には、符号１９の後に（Ａ），（Ｂ），（Ｃ）を付すこととする。図６（ａ）に示すアンテナ１９（Ａ）は、矩形状のセラミック板を基材としてその表面に薄膜導体を形成して構成された平面状のパッチアンテナからなり、ＵＨＦ帯（例えば９５２ＭＨｚ）に対応している。
【００２８】
図６（ｂ）に示すアンテナ１９（Ｂ）は、矩形状の基板の表面にパターン印刷により形成されたループアンテナからなり、短波帯（例えば１３．５６ＭＨｚ）に対応している。図６（ｃ）に示すアンテナ１９（Ｃ）は、導線を多数回巻回して構成されたアンテナコイルからなり、長波帯（例えば１２５ｋＨｚ）に対応している。また、これら各アンテナ１９からはケーブル２５が上方に導出されるようになっている。詳しく図示はしないが、前記ケーブル２５の先端及び、前記本体２内の基板には、コネクタ２６（図３にのみ図示）が設けられ、コネクタ２６の接続により、アンテナ１９とＲＦタグ処理部１７との電気的接続がなされるようになっている。
【００２９】
このように構成されたアンテナ部２３は、本体２（下ケース５）の下面側に取付けられるのであるが、このとき、図５（ａ）に示すように、下ケース５の下面側には、前記アンテナケース２４の上面開口部に対応した凸状の位置決め部５ａが設けられている。また、図示はしないが、下ケース５には、前記各ねじ穴２４ａに対応したねじ挿通孔や、前記ケーブル２５が通される開口部が形成されている。
【００３０】
アンテナ部２３を取付けるにあたっては、本体２の上ケース４を取外した状態で、下ケース５の位置決め部５ａに、アンテナ部２３のアンテナケース２４の上面開口部を下方から嵌合させるようにすると共に、ケーブル２５を開口部を通すようにし、その状態で、上方から各ねじ挿通孔を通して各ねじ穴２４ａにねじを締付けるようにする。また、ケーブル２５のコネクタ２６による電気的接続を行なう。このとき、アンテナ部２３は、使用するシステムで用いられている周波数に対応した種類のアンテナ１９を有したものが選択的に取付けられることは勿論である。
【００３１】
そして、このアンテナ部２３の取付状態においては、図１に示すように、アンテナ部２３が、本体２の先端縁部とグリップ部３の下端縁部との双方に接する仮想平面Ｐよりも内側に配置されるようになっている。ここで、図１（ａ），（ｂ）に示すように、本体２の先端縁部とグリップ部３の下端縁部との双方に接する仮想平面Ｐは、向き等の相違する多数（無数）のものを仮想することができるが、そのいずれに関してもアンテナ部２３が仮想平面Ｐの内側に位置するように構成されている。
【００３２】
また、本実施例では、図２に示すように、前記アンテナ部２３のアンテナ１９（特にパッチアンテナからなるアンテナ１９（Ａ）及びループアンテナからなるアンテナ１９（Ｂ））は、前方に向けて電波を放射するように構成されており、ＲＦタグの読取方向が、光学情報の読取方向と同方向とされている。さらに、ＲＦタグの読取可能範囲は、図２に破線で示す範囲Ｒ２となり、前記光学情報の読取可能範囲Ｒ１と、ＲＦタグの読取可能範囲Ｒ２とが重なる範囲が存在するようになっている。
【００３３】
次に、上記構成の作用について述べる。上記した携帯型情報読取装置１においては、ユーザがグリップ部３を握って、バーコード等の光学情報が記された読取対象（物品に貼付されたラベル等）が本体２の前方の読取可能範囲Ｒ１に入るようにして、本体２の読取口２ａを読取対象に向け、その状態で、光学コード読取部１８等による光学情報の光学的な読取りが可能となる。一方、ＲＦタグが本体２（アンテナ部２３）の前方の読取可能範囲Ｒ２に入っている状態で、アンテナ１９を介した通信により、ＲＦタグ処理部１７によるＲＦタグデータの読取り（或いは書込み）が可能となっている。
【００３４】
この場合、ＲＦタグの読取りと、光学情報の読取りとの双方に対応することができて、利便性を向上させることができ、また、光学情報の読取方向とＲＦタグの読取方向とが同方向とされているので、操作性に優れたものとなる。しかも、光学情報の読取可能範囲Ｒ１とＲＦタグの読取可能範囲Ｒ２とが重なる範囲を設けたことにより、上記したようなＲＦタグと光学情報との双方を備えた情報ラベル等に関する、ＲＦタグと光学情報と双方の読取りを、１回の操作で同時に行なう機能を実現することができる。
【００３５】
そして、ＲＦタグとの間での通信を行なうアンテナ１９を備えるアンテナ部２３を、本体２の前部側下面に別体に取付けるようにしたので、例えば既存の本体２に関して、その構造の大幅な変更を招くことなく、比較的大形のアンテナ１９を設けてＲＦタグとの間での通信の性能（通信距離）を向上させることが可能となる。本体２に対し、アンテナ部２３だけを容易に交換することもできる。尚、アンテナ部２３は、読取口２ａとは重ならない位置に設けられるので、アンテナ部２３に窓部を設ける必要もなく、アンテナ部２３（アンテナケース２４）が必要以上に大形となることもない。
【００３６】
さらに、本実施例では、アンテナ部２３として通信周波数帯の相違するアンテナ１９（Ａ），１９（Ｂ），１９（Ｃ）を備えた複数種類のものを用意しておき、それらを交換可能に取付ける構成としたので、アンテナ部２３の交換を容易に行なうことができ、複数の周波数帯のＲＦタグの読取りに対応させることが可能となる。
【００３７】
ところで、この携帯型情報読取装置１は、ユーザがグリップ部３を手で持って使用するものであるため、ユーザが誤って床や地面等に落下させたりすることが考えられる。この場合、アンテナ部２３の本体２に対する固定部分は、他の部分に比べて強度が劣る事情がある。
【００３８】
ところが、本実施例では、アンテナ部２３は、本体２の先端縁部とグリップ部３の下端縁部との双方に接する仮想平面Ｐよりも内側に配置されているので、ユーザが仮に装置１を落下させた場合でも、平坦な床や地面等に対して、本体２或いはグリップ部３が衝突することになり、アンテナ部２３が直接衝突することがなくなる。この結果、アンテナ部２３が破損してしまうことが未然に防止されるのである。このとき、向き等の相違する多数（無数）の仮想平面Ｐのいずれに関しても、アンテナ部２３が内側に位置するように構成したので、装置１がどのような向きで落下した場合でも、アンテナ部２３の保護を図ることができるのである。
【００３９】
このように本実施例によれば、ＲＦタグとの間の通信を行なうアンテナ部２３を、本体２の外側に、本体２の先端縁部とグリップ部３の下端縁部との双方に接する仮想平面Ｐよりも内側に位置して設ける構成としたので、比較的大形のアンテナ１９を設けることができながらも、落下時等におけるアンテナ部２３の保護を図ることができるという優れた効果を得ることができる。言い換えれば、本実施例では、落下時等においてアンテナ部２３（アンテナケース２４）に大きな衝撃が加わることがないことにより、アンテナ部２３を着脱可能な構造とすることができたのである。
【００４０】
図７は、本発明の他の実施例を示すものであり、この実施例が上記実施例と異なる点は、アンテナ部３１の構成にある。即ち、このアンテナ部３１は、アンテナケース３２内に、アンテナ１９及び送受信回路３３を備えて構成されている。この場合も、アンテナ部３１は、利用する周波数の異なるアンテナ１９及び送受信回路３３を有した、複数種類のものが用意され、本体２に対して着脱（交換）可能に取付けられる。また、アンテナ部３１は、本体２の外側に、本体２の先端縁部とグリップ部３の下端縁部との双方に接する仮想平面Ｐよりも内側に位置して設けられる。
【００４１】
このような構成によれば、比較的大形のアンテナ１９を設けることができながらも、落下時などにおけるアンテナ部３１の保護を図ることができ、これに加えて、本体２側に送受信回路（ＲＦタグ処理部１７）を設ける必要がなくなるので、本体２内の機構の簡単化を図ることができる。特に複数の周波数帯のＲＦタグに対応させる場合でも、アンテナ部３２を交換することによって、対応が容易となる。さらに、既存の光学情報読取装置に、ＲＦタグ読取機構の機能を追加する場合にも、容易に対応することが可能となる。
【００４２】
尚、上記各実施例では、アンテナ部２３，３１を本体２に対しねじ止めにより取付けるようにしたが、その着脱に、例えば爪と凹部とによる係合構造などを採用することもできる。また、上記各実施例では、本発明を光学情報の読取りも可能な装置に適用するようにしたが、ＲＦタグ専用の読取装置として構成しても良い。前記グリップ部３を本体２に対し着脱可能に構成しても良い。その他、本発明は要旨を逸脱しない範囲内で、適宜変更して実施し得るものである。
【図面の簡単な説明】
【００４３】
【図１】本発明の一実施例を示すもので、携帯型情報読取装置の外観を示す正面図（ａ）、右側面図（ｂ）、上面図（ｃ）
【図２】読取可能範囲を示す右側面図（ａ）及び上面図（ｂ）
【図３】全体の電気的構成を概略的に示すブロック図
【図４】ＲＦタグ処理部の電気的構成を概略的に示すブロック図
【図５】アンテナ部の縦断正面図（ａ）及び縦断側面図（ｂ）
【図６】３種類のアンテナの構成（正面及び側面）を概略的に示す図
【図７】本発明の他の実施例を示す図１（ｂ）相当図
【符号の説明】
【００４４】
図面中、１は携帯型情報読取装置、２は本体、３はグリップ部、４は上ケース、５は下ケース、１２は制御部、１７はＲＦタグ処理部、１８は光学コード読取部、１９はアンテナ、２０は送信回路、２１は受信回路、２２は信号処理回路、２３，３１はアンテナ部、２４、３２はアンテナケース、２５はケーブル、３３は送受信回路、Ｐは仮想平面、Ｒ１は光学情報の読取可能範囲、Ｒ２はＲＦタグの読取可能範囲を示す。
【図１】
0004692285.tif 000002
【図２】
0004692285.tif 000003
【図３】
0004692285.tif 000004
【図４】
0004692285.tif 000005
【図５】
0004692285.tif 000006
【図６】
0004692285.tif 000007
【図７】
0004692285.tif 000008